(57)【要約】【課題】操作性に優れた映像表示システムを提供する。【解決手段】表示制御装置１００は、複数の映像ソース機器２１ａ〜２１ｎと、マルチスクリーン６０とを有する映像表示システムに適用され、マルチスクリーン６０による表示状態を制御する。複数の映像ソース機器の選択処理ならびに選択された映像ソース機器の映像信号の合成処理に関する操作を受け付ける入力ユーザーインターフェース１４０と、複数の映像ソース機器の選択処理ならびに選択された映像ソース機器の映像信号の合成処理を、入力ユーザーインターフェース１４０を介した操作に応じて制御する制御部１１０と、少なくともマルチスクリーン６０の表示状態をモニター表示するモニター表示器１５０とを有している。【選択図】図１
2014211547.tif 000002
【特許請求の範囲】
【請求項１】
複数の映像ソース機器と、並列配置された複数台の表示器から成り、前記複数の映像ソース機器のうちから選択された映像ソース機器が出力する映像信号を合成処理した映像信号を１台の表示器のごとく映像を表示するマルチスクリーンとを有する映像表示システムに適用され、前記マルチスクリーンによる表示状態を制御する表示制御装置であって、
前記複数の映像ソース機器の選択処理ならびに選択された映像ソース機器の映像信号の合成処理に関する操作を受け付ける入力ユーザーインターフェースと、
前記複数の映像ソース機器の選択処理ならびに選択された映像ソース機器の映像信号の合成処理を、前記入力ユーザーインターフェースを介した操作に応じて制御する制御部と、
少なくとも前記マルチスクリーンの表示状態をモニター表示するモニター表示器とを有することを特徴とする表示制御装置。
【請求項２】
前記モニター表示器は、その表示画面上に、複数の映像ソース機器を選択するためのソフトウェアボタンを含む映像ソース選択エリアと、前記マルチスクリーンの表示状態をモニター表示するマルチスクリーン表示エリアと、選択された映像ソース機器を操作するソフトウェアボタンを含む機器操作エリアとを有する請求項１に記載の表示制御装置。
【請求項３】
前記モニター表示器は、その表示画面上に、選択された映像ソース機器単体の映像信号をプレビュー表示するソースプレビューエリアをさらに有する請求項２に記載の表示制御装置。
【請求項４】
前記入力ユーザーインターフェースは、ポインティングデバイス、または、前記モニター表示器の画面上に設けられたタッチパネルを含む請求項１乃至３のいずれか一項に記載の表示制御装置。
【請求項５】
前記入力ユーザーインターフェースを介して入力された選択処理内容と合成処理内容との組み合わせを登録情報として書き換え可能に記憶する記憶部をさらに有し、
前記制御部は、前記記憶部に記憶された前記登録情報に従って選択処理ならびに合成処理を制御可能である請求項１乃至４のいずれか一項に記載の表示制御装置。
【請求項６】
前記複数の映像ソース機器と、
前記マルチスクリーンと、
請求項１乃至５のいずれか一項に記載の表示制御装置とを有することを特徴とする映像表示システム。
【請求項７】
前記表示制御装置の前記制御部からの制御に基づいて、前記複数の映像ソース機器のうちから１台または複数台の映像ソース機器を選択するソース選択器と、
前記表示制御装置の前記制御部からの制御に基づいて、選択された映像ソース機器が出力する映像信号を合成して前記マルチスクリーンに出力する画面合成器とをさらに有する請求項６に記載の映像表示システム。
【請求項８】
前記表示制御装置の前記制御部は、前記複数の映像ソース機器、前記ソース選択器、前記画面合成器、ならびに前記マルチスクリーンのそれぞれと、制御信号線を介して接続されており、
前記制御信号線は、ＬＡＮおよび／またはＵＳＢを用いて構成される請求項７に記載の映像表示システム。
【発明の詳細な説明】
【技術分野】
【０００１】
本発明は、複数の映像ソース機器からの映像信号に基づき、映像を複数台の表示器によって表示する映像表示システムに関し、特に、複数台の表示器から成るマルチスクリーンによって１台の表示器のごとく映像を表示する映像表示システムに関する。
【背景技術】
【０００２】
この種の映像表示システムは、監視が必要な施設、建造物、設備における映像監視や、テレビ会議、あるいは、複数箇所それぞれに人が集まるような、企業、工場、催事会場、娯楽施設等におけるローカル放送等を目的とし、例えばビデオカメラ、メディアプレーヤ、テレビチューナ、パーソナルコンピュータ等の複数の映像ソース機器（映像入力機器）からの映像信号に基づき、例えば液晶ディスプレイ等の複数台の表示器によって映像を表示するシステムである。
【０００３】
この種の映像表示システムとしては、映像監視を目的としたものは、複数台の表示器それぞれによって個別の映像を表示するものが主である。
【０００４】
一方、例えば特許文献１、２に開示されているように、並べられた複数台の表示器から成るマルチスクリーンを１台の表示器のごとく用い、仮想的な大画面上に単一の映像もしくは複数の映像を表示する映像表示システムが提案されている。上記のような映像表示システムは、複数台の映像ソース機器から入力された各種映像を画面合成器によって一つの映像として生成し、当該映像信号をマルチスクリーンにおける複数台の表示器用に分割し、分割された映像を各表示器によって分担的に表示することにより、仮想的な大画面上に単一の映像もしくは複数の映像を表示する。
【先行技術文献】
【特許文献】
【０００５】
【特許文献１】特開２００８−１９８０８４号公報
【特許文献２】特開２００８−１２８０８９号公報
【発明の概要】
【発明が解決しようとする課題】
【０００６】
しかし、マルチスクリーンにおける各表示器に映像をどのように分担させるかといった表示パターン等の設定は、一般に、予め画面合成器に対して設定を行い、各表示器に出力する際は、画面合成器に対する設定用端末から設定パターンを選択したり、各表示映像の表示サイズの変更等を別操作するなど、ユーザには煩雑な作業が課せられるものであり、操作性に劣っていた。
【０００７】
尚、特許文献１には、マルチスクリーンに現在表示されている映像の状態情報を取得し、取得した状態情報に基づきＧＵＩ（Graphical User Interface）表示によって現在のマルチスクリーンの状態をユーザに通知する旨や、映像表示システムの監視および制御操作を行う訓練卓と呼ばれるモニターディスプレイ付きの構成が記載されている。しかし、ＧＵＩ表示によるマルチスクリーンの状態の通知や、映像表示システムの監視および制御操作について、特許文献１には具体的には何等記載されておらず、構成が不明である。
【０００８】
それ故、本発明の課題は、操作性に優れた表示制御装置を提供することである。
【課題を解決するための手段】
【０００９】
本発明によれば、複数の映像ソース機器と、並列配置された複数台の表示器から成り、前記複数の映像ソース機器のうちから選択された映像ソース機器が出力する映像信号を合成処理した映像信号を１台の表示器のごとく映像を表示するマルチスクリーンとを有する映像表示システムに適用され、前記マルチスクリーンによる表示状態を制御する表示制御装置であって、前記複数の映像ソース機器の選択処理ならびに選択された映像ソース機器の映像信号の合成処理に関する操作を受け付ける入力ユーザーインターフェースと、前記複数の映像ソース機器の選択処理ならびに選択された映像ソース機器の映像信号の合成処理を、前記入力ユーザーインターフェースを介した操作に応じて制御する制御部と、少なくとも前記マルチスクリーンの表示状態をモニター表示するモニター表示器とを有することを特徴とする表示制御装置が得られる。
【００１０】
前記モニター表示器は、その表示画面上に、複数の映像ソース機器を選択するためのソフトウェアボタンを含む映像ソース選択エリアと、前記マルチスクリーンの表示状態をモニター表示するマルチスクリーン表示エリアと、選択された映像ソース機器を操作するソフトウェアボタンを含む機器操作エリアとを有していてもよい。また、前記モニター表示器は、その表示画面上に、選択された映像ソース機器単体の映像信号をプレビュー表示するソースプレビューエリアをさらに有していてもよい。
【００１１】
前記入力ユーザーインターフェースは、ポインティングデバイス、または、前記モニター表示器の画面上に設けられたタッチパネルを含んでいてもよい。
【００１２】
前記入力ユーザーインターフェースを介して入力された選択処理内容と合成処理内容との組み合わせを登録情報として書き換え可能に記憶する記憶部をさらに有し、前記制御部は、前記記憶部に記憶された前記登録情報に従って選択処理ならびに合成処理を制御可能であってもよい。
【００１３】
また、本発明によれば、前記複数の映像ソース機器と、前記マルチスクリーンと、前記表示制御装置とを有することを特徴とする映像表示システムが得られる。
【００１４】
前記表示制御装置の前記制御部からの制御に基づいて、前記複数の映像ソース機器のうちから１台または複数台の映像ソース機器を選択するソース選択器と、前記表示制御装置の前記制御部からの制御に基づいて、選択された映像ソース機器が出力する映像信号を合成して前記マルチスクリーンに出力する画面合成器とをさらに有していてもよい。その場合、前記表示制御装置の前記制御部は、前記複数の映像ソース機器、前記ソース選択器、前記画面合成器、ならびに前記マルチスクリーンのそれぞれと、制御信号線を介して接続されており、前記制御信号線は、ＬＡＮおよび／またはＵＳＢを用いて構成されてもよい。
【発明の効果】
【００１５】
本発明による表示制御装置は、操作性に優れている。
【図面の簡単な説明】
【００１６】
【図１】本発明の実施例による表示制御装置が適用された映像表示システムの構成を示すブロック図である。
【図２】図１に示された映像表示システムを特に映像信号の入出力を詳細に示したブロック図である。
【図３】本発明の実施例による表示制御装置におけるモニター表示器の画面表示例を示す図である。
【図４】本発明の実施例による表示制御装置の動作を説明するためのフロー図である。
【発明を実施するための形態】
【００１７】
本発明による表示制御装置は、複数の映像ソース機器と、マルチスクリーンとを有する映像表示システムに適用され、マルチスクリーンによる表示状態を制御するものである。
【００１８】
尚、マルチスクリーンは、並列配置された複数台の表示器から成り、複数の映像ソース機器のうちから選択された映像ソース機器が出力する映像信号を合成処理した映像信号を１台の表示器のごとく映像を表示するものである。
【００１９】
特に、本表示制御装置は、入力ユーザーインターフェースと、制御部と、モニター表示器とを有している。
【００２０】
入力ユーザーインターフェースは、複数の映像ソース機器の選択処理ならびに選択された映像ソース機器の映像信号の合成処理に関する操作を受け付ける。制御部は、複数の映像ソース機器の選択処理ならびに選択された映像ソース機器の映像信号の合成処理を、入力ユーザーインターフェースを介した操作に応じて制御する。モニター表示器は、少なくともマルチスクリーンの表示状態をモニター表示する。
【００２１】
上記構成により、従前は、画面合成手段自体に設けられた制御部をマルチスクリーンが見える場所に設置し、マルチスクリーン自体による表示を確認しながら画面合成手段の制御部に対して操作を行わなければならなかったものが、本発明による表示制御装置は、操作をする者にとって任意の場所に設置すればよく、操作をする者の手元や眼前に置かれたモニター表示器による表示を確認しながら複数のソース機器や画面合成手段を一元操作することが可能であり、操作性に優れている。
【実施例】
【００２２】
以下、図面を参照して、本発明による表示制御装置のより具体的な実施例を説明する。
【００２３】
図１および図２を参照すると、本発明の実施例による表示制御装置が適用された映像表示システムは、例えば娯楽施設におけるローカル放送等を目的としたシステムであり、複数の映像ソース機器２１ａ〜２１ｎを含む映像ソース機器郡２０と、ソース選択器３０と、分配器４０と、画面合成器５０と、マルチスクリーン６０と、表示制御装置（操作卓）１００とを有している。
【００２４】
複数の映像ソース機器２１ａ〜２１ｎは、複数台のビデオカメラ、メディアプレーヤ、テレビチューナ、パーソナルコンピュータ等の映像信号を出力可能な電子機器であり、それぞれの動作は、表示制御装置１００から制御可能である。
【００２５】
マルチスクリーン６０は、並列配置された複数台の表示器として、本例では上下段に４台ずつ並列配置された液晶ディスプレイ等の表示器６１ａ〜６１ｈから成り、表示制御装置１００からの制御に基づいて、複数の映像ソース機器のうちから選択された映像ソース機器２１ａ〜２１ｎが出力する映像信号を合成処理した映像信号を１台の表示器のごとく映像を表示するものである。
【００２６】
ソース選択器３０は、表示制御装置１００からの制御に基づいて、複数の映像ソース機器２１ａ〜２１ｎのうちから１台または複数台の映像ソース機器を選択する。
【００２７】
分配器４０は、表示制御装置１００からの制御に基づいて、ソース選択器３０からの映像信号を、例えば、マルチスクリーン６０の左４面（表示器６１ａ〜６１ｄ）への出力用として最大２０映像、また、マルチスクリーン６０の右４面（表示器６１ｅ〜６１ｈ）への出力用として最大２０映像それぞれに分配し、画面合成器５０に対して出力する。
【００２８】
画面合成器５０は、表示制御装置１００からの制御に基づいて、画面合成器５０からの映像信号を、必要な座標上への映像配置や拡大、縮小等の処理を含む合成処理を行った後、マルチスクリーン６０に、即ち、左右各４面の表示器６１ａ〜６１ｈにそれぞれ出力する。
【００２９】
表示制御装置１００は、複数の映像ソース機器２１ａ〜２１ｎ、ソース選択器３０、分配器４０、画面合成器５０、ならびにマルチスクリーン６０のそれぞれと、制御信号線３００を介して接続されている。尚、図示の繁雑さを防ぐために、図１、図２においては、制御信号線３００が映像ソース機器群２０、即ち、複数の映像ソース機器２１ａ〜２１ｎ全体に対して接続されているように描かれているが、実際は、複数の映像ソース機器２１ａ〜２１ｎが相互に離れた場所に設置される場合もあるため、制御信号線３００は、映像ソース機器２１ａ〜２１ｎのそれぞれに対して個別に接続されている。制御信号線３００は、具体的には、ＬＡＮ（Local Area Network）および／またはＵＳＢ（Universal Serial Bus）を用いて構成されている。ＬＡＮとしては、その一部または全部がＷｉＦｉ（商標または登録商標）等の無線ＬＡＮによって構成されてもよい。さらに、図１、図２においては、映像表示システムを構成する各部間を接続した映像信号線が制御信号線３００とは独立して描かれているが、映像信号をも制御信号線を通して伝送してもよい。
【００３０】
表示制御装置（操作卓）１００は、マルチスクリーン６０による表示状態を制御する装置であり、入力ユーザーインターフェース（入力ＵＩ（User Interface））１４０と、モニター用画面合成器１２０と、制御部１１０と、モニター表示器１５０と、モニター用画面合成器１２０と、半導体メモリやハードディスクドライブ等から成る記憶部（図示せず）とを有し、コンソール形状を呈している。
【００３１】
入力ＵＩ１４０は、ソース選択器３０による複数の映像ソース機器の選択処理、ならびに、分配器４０、画面合成器５０による選択された映像ソース機器の映像信号の合成処理に関する操作を受け付けるものであり、キーボードの他、ポインティングデバイスとしてのマウスを備えている。入力ＵＩ１４０としては、トラックボール、ジョイスティック、ジョグダイヤル、ライトペン等のポインティングデバイス、または、モニター表示器１５０の画面上に設けられたタッチパネルを含んでいてもよい。
【００３２】
モニター表示器１５０は、一台または二台程度の液晶ディスプレイ等から成り、図３に示されるように、その表示画面上に、複数の映像ソース機器を選択するためのソフトウェアボタンを含む映像ソース選択エリア２１０と、マルチスクリーンの表示状態をモニター表示するマルチスクリーン表示エリア２２０と、選択された映像ソース機器を操作するソフトウェアボタンを含む機器操作エリア２４０と、選択された映像ソース機器単体の映像信号をプレビュー表示するソースプレビューエリア２５０と、音量調整エリア２３０とを有している。
【００３３】
制御部１１０は、モニター表示器１５０の映像ソース選択エリア２１０のソフトウェアボタンに付加されたサムネイル画像と、ソースプレビューエリア２５０のプレビュー表示用の映像信号は、ソース選択器３０からモニター用画面合成器１２０およびビデオキャプチャボード１３０を介して取得する。一方、マルチスクリーン表示エリア２２０用の映像信号は、画面合成器５０からモニター用画面合成器１２０およびビデオキャプチャボード１３０を介して、制御部１１０は取得する。映像ソース選択エリア２１０にあるソフトウェアボタンにはサムネイル画像が付加されているが、映像の詳細を確認する場合には、ソースプレビューエリア２５０におけるプレビュー表示を確認すればよい。
【００３４】
表示制御装置１００の記憶部は、入力ＵＩ１４０を介して入力された選択処理内容と合成処理内容との組み合わせを登録情報として書き換え可能に記憶する。制御部１１０は、記憶部に記憶された登録情報に従って選択処理ならびに合成処理を制御可能である。
【００３５】
尚、マルチスクリーン６０にはスピーカが併設（図示せず）されていると共に、複数の映像ソース機器２１ａ〜２１ｎも映像に加えて音声信号をも出力可能である。一方、表示制御装置１００は、マルチスクリーン６０併設のスピーカから出力される音声をモニターするための図示しないモニタースピーカーまたはモニターヘッドフォン（どちらも図示せず）をさらに有している。また、モニター表示器１５０の音量調整エリア２３０は、マルチスクリーン６０併設のスピーカから出力される音声の音量等の音響パラメータを調整するソフトウェアボタンを含んでいる。
【００３６】
次に、図１〜図３ならびに図４を参照して、本映像表示システムの動作を説明する。
【００３７】
まず、ステップＳ１１において、本映像表示システムが起動される。このときに表示制御装置１００も同時に起動される。
【００３８】
続いて、ステップＳ１２において、表示制御装置１００の制御部１１０は、前回表示状態を復元するかどうかを、ユーザに対してメッセージボックスとして表示制御装置１００のモニター表示器１５０の機器操作エリア２４０内などに表示する。
【００３９】
この問い合わせに対し、表示制御装置１００の図示しない入力ＵＩ１４０としてのマウスを介して、復元しない（「いいえ」）と返答した場合は、ステップＳ１３に移行する。一方、復元する（「はい」）と返答した場合は、ステップＳ１４に移行する。
【００４０】
ステップＳ１４において、制御部１１０は、表示制御装置１００の図示しない記憶部に記憶している選択処理内容と合成処理内容との組み合わせである登録情報を読み出し、読み出した登録情報に従って、ソース選択器３０の選択処理と、分配器４０、画面合成器５０の合成処理とを制御し、マルチスクリーン６０によって映像を表示する。
【００４１】
一方、ステップＳ１３において、制御部１１０は、初期状態として、ソース映像未選択、かつ、モニター表示器１５０の表示画面におけるマルチスクリーン表示エリア２２０を、全て黒画面の状態にする。これと共に、制御部１１０は、モニター表示器１５０の映像ソース選択エリア２１０に、ソース映像の選択候補として、最大３２種のソース映像の選択ボタン２１０ａ、２１０ｂ、・・・、２１０ｙ、２１０ｚ、ならびに、２１０ａａ、２１０ａｂ、・・・、２１０ａｅ、２１０ａｆ（映像ソース機器の名称およびソース映像のサムネイル表示が付加されたボタン）を表示させる。尚、ソース映像の選択ボタンについては、モニター表示器１５０内の表示は最大３２個のボタンであるが、表示切替を行うことで３２以上のソース映像に対応する。
【００４２】
次いで、ステップＳ１５において、制御部１１０は、マルチスクリーン６０に表示する映像ソース機器の選択操作を入力ＵＩ１４０を介して受け付ける。即ち、モニター表示器１５０の映像ソース選択エリア２１０における各映像ソースを表すソフトウェアボタンがマウスクリックされることにより、映像ソースが選択される。尚、モニター表示器１５０の映像ソース選択エリア２１０においては、各映像ソース機器の動作状態もモニタできるようになっており、停止している映像ソース機器を動作させるには、モニター表示器１５０の機器操作エリア２４０におけるソフトウェアボタンがマウスクリックされる。
【００４３】
ここで、ユーザがソース映像のいずれかを選択した時点で、モニター表示器１５０の映像ソース選択エリア２１０に表示されている各サムネイルよりも高解像度の映像（通常、動画）が、ソースプレビューエリア２５０に表示される（ステップＳ１６）。これにより、ユーザが十分に確認できる。
【００４４】
ステップＳ１７において、ソース映像の選択は維持された状態で、引き続きマルチスクリーン表示エリア２２０における映像を配置（割り当て）しようとする位置がマウスクリックされることにより、マルチスクリーン６０における表示位置が決定される。
【００４５】
ステップＳ１５〜Ｓ１７の操作は、マルチスクリーン６０に表示させる映像数分の繰り返しの操作となる。
【００４６】
ソース映像の選択が完了した段階（ステップＳ１８）で、表示サイズや配置を変更する場合は、編集操作により変更を行う（ステップＳ１９、Ｓ２０）。この編集操作についても、モニター表示器１５０のと入力ＵＩ１４０が用いられる。
【００４７】
一連の操作が完了した段階で、必要に応じて、現在のマルチスクリーン６０における表示状態をもたらすことになる選択処理内容と合成処理内容との組み合わせである登録情報をプリセットデータとして記憶部に記憶する（ステップＳ２１、Ｓ２２）。
【００４８】
以上のようにして、表示制御装置１００の制御により、合成処理した映像信号がマルチスクリーンによって１台の表示器のごとく映像表示が完了した（ステップＳ２３）。
【産業上の利用可能性】
【００４９】
以上説明した実施例に限定されることなく、本発明は、特許請求の範囲に記載された技術範囲内であれば、種々の変形が可能であることは云うまでもない。
【符号の説明】
【００５０】
２０    映像ソース機器群
２１ａ〜２１ｎ  映像ソース機器
３０    ソース選択器
４０    分配器
５０    画面合成器
６０    マルチスクリーン
６１ａ〜６１ｈ    表示器
１００    表示制御装置（操作卓）
１１０    制御部
１２０    モニター用画面合成器
１３０    ビデオキャプチャボード
１４０    入力ユーザーインターフェース（入力ＵＩ）
１５０    モニター表示器
２１０    映像ソース選択エリア
２１０ａ〜２１０ｚ、２１０ａａ〜２１０ａｆ  ソース映像の選択ボタン、サムネイル表示
２２０    マルチスクリーン表示エリア
２３０    音量調整エリア
２４０    機器操作エリア
２５０    ソースプレビューエリア
３００    制御信号線
【図１】
2014211547.tif 000003
【図２】
2014211547.tif 000004
【図３】
2014211547.tif 000005
【図４】
2014211547.tif 000006